(57)【要約】【課題】筐体の撓みを防止することによって、蓋の載置位置のずれを防止することができる技術を提供する。【解決手段】本明細書が開示する電気装置用ケース２は、上面開口の箱状の筐体１０と、筐体１０の開口部１２を閉塞する蓋５０とを有している。筐体１０は、開口縁部１４に蓋５０を載置することができる。また、筐体１０は、側面にコネクタ差込口２２を有している。開口縁部１４のうち、コネクタ差込口２２の上方に、蓋５０と係合するフランジ３０が設けられている。フランジ３０は、開口縁部１４の外縁部から上方に向かって伸びており、蓋５０の縁の外側と当接することにより、蓋５０と係合する。【選択図】図１
2014075501.tif 000002
【特許請求の範囲】
【請求項１】
電気装置用ケースであって、
上面開口の箱状の筐体と、
筐体の開口部を閉塞する蓋と、
を有しており、
筐体は、
側面にコネクタ差込口を有しており、
開口縁部のうち、少なくともコネクタ差込口の上方に、蓋と係合するフランジが設けられている、
ことを特徴とする電気装置用ケース。
【請求項２】
前記フランジは、蓋の縁の外側に当接する、あるいは、蓋の開口縁部の外側に設けられた段差に当接することを特徴とする請求項１に記載の電気装置用ケース。
【発明の詳細な説明】
【技術分野】
【０００１】
本明細書が開示する技術は、電気装置を収容する電気装置用ケースに関する。
【背景技術】
【０００２】
例えば、特許文献１には、電気装置を収容するための電気装置用ケースが開示されている。この電気装置用ケースは、上面開口の箱状の筐体と、筐体の開口部を閉塞する蓋とを有している。筐体の開口縁部には、蓋を載置可能である。筐体の側面にはコネクタ差込口が設けられている。筐体内に電気装置を配置し、筐体の開口部を蓋で閉塞することにより、電気装置を電気装置用ケース内に収容することができる。さらに、コネクタ差込口にコネクタを差し込むことにより、コネクタと筐体内の電気装置とを電気的に接続することができる。
【先行技術文献】
【特許文献】
【０００３】
【特許文献１】特開２０１２−１３９０１４号公報
【発明の概要】
【発明が解決しようとする課題】
【０００４】
筐体の開口縁部と蓋の間に接着剤を塗布し、蓋を筐体に密着させて固定させる場合もある。しかしながら、特許文献１の技術では、コネクタ差込口にコネクタを差し込んだ際に、筐体の側面のうちのコネクタ差込口が設けられている面（差込面）が、筐体の内側方向に向かって押される。その結果、コネクタ差込口にコネクタを差し込んだ際に、筐体の差込面が内側に向かって撓み、蓋の載置位置がずれてしまう場合がある。その場合、蓋と筐体とが密着しなくなるおそれもある。本明細書は、筐体の撓みを防止することによって、蓋の載置位置のずれを防止することができる技術を提供する。
【課題を解決するための手段】
【０００５】
本明細書が開示する電気装置用ケースは、上面開口の箱状の筐体と、筐体の開口部を閉塞する蓋とを有している。筐体は、開口縁部に蓋を載置することができる。また、筐体は、側面にコネクタ差込口を有している。開口縁部のうち、少なくともコネクタ差込口の上方に、蓋と係合するフランジが設けられている。ここで、係合の典型的な態様は、フランジが上方に向かって伸びており、蓋の縁の外側と当接することである。
【０００６】
上記の構成によると、筐体の開口縁部に載置された蓋は、フランジと係合する（蓋の縁の外側と当接する）。そのため、コネクタ差込口にコネクタが差し込まれ、筐体の側面のうちのコネクタ差込口が設けられている面（差込面）が、筐体の内側方向に向かって押される場合であっても、フランジが蓋と係合していることにより、筐体の差込面が内側方向に向かって撓むことが防止される。そのため、蓋の載置位置がずれることを防止することができる。
【０００７】
フランジと蓋の係合の他の態様として、蓋の開口縁部の外側に（上下方向の）段差が設けられており、フランジがその段差と当接するものであってもよい。そのような態様であっても上記説明した効果と同じ効果が得られる。
【０００８】
本明細書が開示する技術の詳細とさらなる改良は発明を実施するための形態の欄にて詳しく説明する。
【図面の簡単な説明】
【０００９】
【図１】第１実施例の電気装置用ケース２を示す斜視図。
【図２】電気装置用ケース２を示す正面図。
【図３】図２のＡ−Ａ断面図。
【図４】図３のＢ−Ｂ断面図。
【図５】第２実施例の電気装置用ケースを示す図２のＡ−Ａ断面図。
【図６】第３実施例の電気装置用ケースを示す図２のＡ−Ａ断面図。
【図７】第４実施例の電気装置用ケースを示す図５のＣ−Ｃ断面図。
【発明を実施するための形態】
【００１０】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
（特徴１）蓋と筐体の開口縁部の間には接着剤を介在させている。これにより、蓋を筐体に密着固定させている。
【００１２】
（特徴２）蓋は、下面開口の箱状である。蓋の下方の開口縁部は、筐体の開口縁部上に載置される。
【００１３】
（特徴３）筐体の開口縁部と蓋は、開口縁部の周方向の複数箇所において、ボルト固定されている。
【００１４】
（第１実施例）
本実施例の電気装置用ケース２は、例えば、電気自動車に搭載されるケースであって、電気自動車用の各種電気装置（例えばインバータ等）を収容するためのケースである。図１に示すように、電気装置用ケース２は、筐体１０と蓋５０とを有している。
【００１５】
図１に示すように、筐体１０は、上面開口の箱状に形成されている。図１では図示を省略しているが、筐体１０の内部には、電気自動車用の各種電気装置（例えばインバータ等）を収容可能である。筐体１０の側面のうちの一面（差込面）２０には、コネクタ差込口２２が設けられている。コネクタ差込口２２の開口縁部は、保護部材２４で被覆されている。コネクタ差込口にコネクタ（図示省略）を差し込むことにより、コネクタと筐体１０内の電気装置とを電気的に接続することができる。
【００１６】
筐体１０の開口縁部１４は、蓋５０の開口縁部５４（後述）を載置できる平面に形成されている。開口縁部１４のうち、コネクタ差込口２２の上方には、蓋５０の開口縁部５４と係合可能なフランジ３０が形成されている。フランジ３０は、開口縁部１４の外縁部から上方に向かって伸びるように設けられている。フランジ３０と蓋５０の開口縁部５４との係合構造については後で詳しく説明する。また、開口縁部１４の周方向複数箇所には突出部１６が設けられている。各突出部１６には、ボルト孔１８が形成されている。
【００１７】
蓋５０は、下面開口の箱状に形成されている。蓋５０の下面側の開口縁部５４は、上記の筐体１０の開口縁部１４上に載置可能である。蓋５０の開口縁部５４を筐体１０の開口縁部１４に載置することにより、筐体１０の開口部１２と、蓋５０の開口部５２とがともに閉塞される。図２に示すように、蓋５０の開口縁部５４を筐体１０の開口縁部１４に載置した状態で、蓋５０の開口縁部５４と筐体１０の開口縁部５４とを密着固定させることにより、本実施例の電気装置用ケース２が形成される。
【００１８】
蓋５０の開口縁部５４の周方向複数箇所にも、突出部５６が設けられている。また、各突出部５６には、ボルト孔５８が形成されている。ボルト孔５８は、蓋５０の開口縁部５４を筐体１０の開口縁部１４に載置した場合に、ボルト孔１８と連通する位置に形成されている。
【００１９】
図１、図２を参照して、本実施例の電気装置用ケース２の利用方法について説明する。まず、筐体１０の内部に所望の電気装置を収容する。次いで、筐体１０の開口縁部１４上に接着剤を配置する。次いで、図２に示すように、蓋５０の開口縁部５４を筐体１０の開口縁部１４に載置する。次いで、連通するボルト孔５８及びボルト孔１８にボルト７０を螺入し、蓋５０と筐体１０とを密着固定させる。これにより、所望の電気装置を収容した電気装置用ケース２が完成する。
【００２０】
蓋５０と筐体１０の密着固定構造についてさらに説明する。図３は、図２のＡ−Ａ断面を示す。蓋５０の開口縁部５４が筐体１０の開口縁部１４と密着固定される場合、図３に示すように、開口縁部１４の外縁部から上方に向かって伸びているフランジ３０が、蓋５０の開口縁部５４の外側（外縁）に当接する。これにより、筐体１０の開口縁部１４に載置された蓋５０は、フランジ３０と係合する。
【００２１】
また、図４は、図２のＢ−Ｂ断面を示す。図４に示すように、筐体１０の開口縁部１４のうち、フランジ３０の形成されていない部分では、筐体１０の開口縁部１４の上に蓋の開口縁部５４が載置されて密着固定されている。
【００２２】
以上、本実施例の電気装置用ケース２について説明した。上記の通り、本実施例では、蓋５０の開口縁部５４が筐体１０の開口縁部１４と密着固定されると、フランジ３０は、蓋５０の開口縁部５４の外側に当接し、蓋５０が係合する（図３参照）。そのため、本実施例では、コネクタ差込口２２にコネクタが差し込まれ、筐体１０の差込面２０が筐体１０の内側方向に向かって押される場合であっても、フランジ３０が蓋５０と係合しているため、筐体１０の差込面２０が内側方向に向かって撓むことが防止される。そのため、電気装置用ケース２の形成後に、蓋５０の載置位置がずれることを防止することができる。
【００２３】
また、上記の通り、本実施例では、フランジ３０は、蓋５０の開口縁部５４の外側に当接している。そのため、蓋５０を開口縁部１４に載置する際に、開口縁部１４に配置した接着剤が蓋５０によって上から押されたとしても、フランジ３０によって蓋５０の開口縁部５４の外側が抑えられているため、余剰の接着剤がコネクタ差込口２２（保護部材２４）方向に漏れ出ることが抑制される。その結果、接着剤がコネクタ差込口２２の内側に付着して、コネクタとコネクタ差込口２２との間のシール性に悪影響を及ぼすことも防ぐことができる。
【００２４】
（第２実施例）
第２実施例について、第１実施例と異なる点を中心に説明する。図５は、本実施例の電気装置用ケース２において、図２のＡ−Ａ断面に相当する断面を示す図である。図５に示すように、本実施例の電気装置用ケース２では、筐体１０のフランジ１３０の形状、及び、蓋５０の開口縁部１５４の形状が第１実施例とは異なる。本実施例のフランジ１３０も、開口縁部１４の外縁部から上方に向かって伸びているが、本実施例のフランジ１３０は、上端面の位置が、第１実施例のフランジ３０（図３参照）に比べて低い。また、図５に示すように、本実施例の蓋５０の開口縁部１５４は、その底面に段差が設けられている。即ち、開口縁部１５４には、上段部１５４ａと下段部１５４ｂが設けられている。
【００２５】
図５に示すように、本実施例では、蓋５０を筐体１０の開口縁部１４に載置すると、開口縁部１５４の下段部１５４ｂが開口縁部１４に着座するとともに、開口縁部１５４の上段部１５４ａがフランジ１３０の上端面に着座する。即ち、フランジ１３０が、開口縁部１５４に設けられた段差と当接する。これにより、筐体１０の開口縁部１４に載置された蓋５０は、フランジ１３０と係合する。
【００２６】
上記の通り、本実施例の電気装置用ケース２も、蓋５０の開口縁部１５４が筐体１０の開口縁部１４と密着固定される場合に、フランジ１３０が、蓋５０の開口縁部１５４の段差に当接して、蓋５０と係合する（図５参照）。そのため、本実施例の電気装置用ケース２も、第１実施例の電気装置用ケース２（図２参照）と同様の作用効果を発揮することができる。
【００２７】
さらに、本実施例の電気装置用ケース２では、図５に示すように、フランジ１３０の上端面は、開口縁部１５４の上段部１５４ａと当接し、開口縁部１５４の外側（外縁）より上方に突出していない。即ち、本実施例では、開口縁部１５４の外側に、外壁になり得るもの（フランジ）が存在していない。従って、仮に電気装置用ケース２が濡れたり汚れたりして、開口縁部１５４の上面に水や汚れが付着する場合であっても、開口縁部１５４の上面に付着した水や汚れを、開口縁部１５４の上面の外側から落とすことができる。そのため、開口縁部１５４の上面に水や汚れが溜まりにくい。
【００２８】
（第３実施例）
第３実施例について、第２実施例と異なる点を中心に説明する。図６は、本実施例の電気装置用ケース２において、図２のＡ−Ａ断面に相当する断面を示す図である。図６に示すように、本実施例の電気装置用ケース２も、その基本構成は第２実施例の電気装置用ケース２（図５参照）と共通する。本実施例では、図６に示すように、蓋５０の開口縁部１５４の段差の角部分に、面取りされた面取り部１５４ｒが形成されている。また、図６では、フランジ１３０のうち、開口縁部１４と接する部分に斜面部１３０ｒが形成されている。斜面部１３０ｒは、フランジ１３０の形成加工の加工精度を下げた場合に残る削り残し部分である。
【００２９】
本実施例では、蓋５０の開口縁部１５４が面取り部１５４ｒを備えるため、蓋５０を筐体１０の開口縁部１４に載置した際に、蓋５０の開口縁部１５４の底面の角部分がフランジ１３０の斜面部１３０ｒと干渉することを防ぐことができる。蓋５０の開口縁部１５４に面取り部１５４ｒを備えることによって、フランジ１３０の加工精度を落とすことができるので加工コストを削減できる。
【００３０】
（第４実施例）
第４実施例について、第２実施例と異なる点を中心に説明する。図７は、本実施例の電気装置用ケース２において、図５のＣ−Ｃ断面に相当する断面を示す図である。図７に示すように、本実施例の電気装置用ケース２も、その基本構成は第２実施例の電気装置用ケース２（図５参照）と共通する。本実施例では、図７に示すように、蓋５０の開口縁部１５４の下段部１５４ｂのうち、フランジ１３０の側面と当接する面（当接面）２００が凹凸状に形成されている。本明細書に開示の技術の開発者による研究の結果、当接面２００を凹凸状に形成した場合であっても、フランジ１３０と蓋５０とを係合させ、筐体１０の差込面２０が内側方向に向かって撓むことを防止するために十分な強度を有することが判明した。本実施例は、この知見に基づいて、当接面２００を凹凸状に形成したものである。本実施例では、面２００を凹凸状に形成する分、蓋５０に必要な材料が少なく済む。
【００３１】
以上、各実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００３２】
（変形例１）  コネクタ差込口は、筐体１０の２箇所以上に形成されていてもよい。その場合、筐体１０の開口縁部１４のうち、各コネクタ差込口の上方に、フランジ３０（１３０）を形成することが好ましい。
【００３３】
（変形例２）  また、フランジ３０（１３０）は、筐体１０の開口縁部１４のうち、コネクタ差込口２２の上方部分のみに限られず、他の部分にも形成されていてもよい。従って、例えば、フランジ３０（１３０）が、開口縁部１４の全周に亘って形成されていてもよい。この変形例も「開口縁部のうち、少なくともコネクタ差込口の上方に、蓋と係合するフランジが設けられている」の一例に含まれる。
【００３４】
（変形例３）  蓋５０の形状は、上記の各実施例のような下面開口の箱状には限られず、筐体１０の開口縁部１４に載置することによって開口部１２（図１参照）を閉塞可能であれば任意の形状とすることができる。従って、例えば、蓋が、筐体１０の開口縁部１４に載置可能な板状に形成されていてもよい。
【符号の説明】
【００３５】
２：電気装置用ケース
１０：筐体
１２：開口部
１４：開口縁部
１６：突出部
１８：ボルト孔
２０：差込面
２２：コネクタ差込口
２４：保護部材
３０：フランジ
５０：蓋
５２：開口部
５４：開口縁部
５６：突出部
５８：ボルト孔
７０：ボルト
１３０：フランジ
１３０ｒ：斜面部
１５４：開口縁部
１５４ａ：上段部
１５４ｂ：下段部
１５４ｒ：面取り部
【図１】
2014075501.tif 000003
【図２】
2014075501.tif 000004
【図３】
2014075501.tif 000005
【図４】
2014075501.tif 000006
【図５】
2014075501.tif 000007
【図６】
2014075501.tif 000008
【図７】
2014075501.tif 000009